(57)【特許請求の範囲】
【請求項１】
液体飲料を収容し、該液体飲料を入れるための容器開口部を有する容器本体と、
前記容器開口部を覆うと共に飲み口部として弾性変形可能なストローを備えるベース部材と
を有する飲料容器であって、
前記ベース部材が外方に凸となった湾曲面を有し、該ベース部材の該湾曲面の上をスライドして移動する、外方に凸となった湾曲面を有するスライド蓋とを備え、
該スライド蓋の移動によりその先端が前記ストローの長さ方向の途中位置に当接すると共に、当該途中位置においては該ストローの反対側で前記ベース部材に立設された支持壁が該ストローを支持しており、前記スライド蓋が前記当接位置よりさらに閉止方向にスライド移動することで、前記ストローが前記支持壁に支持されつつ、該支持位置で折り曲げられることにより閉塞され、該ストローから液漏れしない状態として携行可能とするようになっており、
前記ベース部材には、前記スライド蓋より内側で通気部材が露出して形成されていて、
該通気部材は、
前記容器本体と外部とを連通させ、該容器本体内の圧力変化を調整する第一通気部と、
前記容器本体内が外部に対して負圧状態となったときに外部から空気を導入すると共に、前記容器本体内の液体飲料の漏出を防ぐことができる第二通気部と
を有しており、
前記スライド蓋のスライド移動により、使用者が携行できるように前記ストローを曲折して塞ぐ携行位置及び前記ストローの曲折を解除して使用可能となるように、前記ストローが露出して延びるまで前記スライド蓋を移動配置した飲用位置では、前記第一通気部を閉塞状態とし、前記携行位置及び前記飲用位置の中間位置に前記スライド蓋が移動配置される操作状態では、前記第一通気部を通気状態とする構成とされていて、
かつ、前記スライド蓋が飲用位置である完全に開いた状態では、前記スライド蓋の先端は前記ストローと実質的に接触せず、該スライド蓋が前記飲用位置からスライド移動すると、該スライド蓋の先端付近が前記ストローに当接して該ストローを曲折させつつその上に乗り上げて、ストローの弾性力により押し上げられることにより、該スライド蓋の基端側が前記通気部材から離れ、
前記スライド蓋が完全に閉止されるまでスライド移動した状態では、前記スライド蓋の先端部に対して下からストローの弾性力が押し上げるように力を加えることから、該ストローを下から当接支持している前記支持壁先端を支点として、前記スライド蓋の基端側は下方へ付勢されることにより、前記通気部材に当接する構成とした
ことを特徴とする飲料容器。
【請求項２】
前記ベース部材には、該ベース部材の前記湾曲面の中心に対して、前記スライド蓋の前記スライド移動により開閉されるスリットの基端側に寄った位置に、前記通気部材が配置されており、該通気部材は、上端が前記基端側に向かって下がる勾配を有する傾斜面を有するとともに、該傾斜面において、前記第１通気部と前記第２通気部の各外側開口が露出されていることを特徴とする請求項１に記載の飲料容器。
【請求項３】
前記第１通気部と第２通気部の前記各外側開口は、前記傾斜面からそれぞれ僅かに突出して形成されており、前記スライド蓋内面には、前記飲用位置において前記通気部材の前記第１通気部だけに当接して第２通気部の機能を発揮させ、前記操作位置においては、前記通気部材を開放することで、第２通気部の機能を発揮させ、前記携行位置においては前記通気部材の第１通気部、第２通気部の各通気部にそれぞれ当接する複数の突起状の通気開閉部を備えることを特徴とする請求項２に記載の飲料容器。
【請求項４】
前記スライド蓋が湾曲した帯状の部材であり、該帯状のスライド蓋の幅方向の両側縁に設けた突起またはスライド用リブが、前記ベース部材に形成した帯状開口の幅方向両側部において、前記スライド方向に沿って形成した突起またはスライド溝に支持されてスライド移動される構成とした請求項２又は３のいずれかに記載の飲料容器。
【請求項５】
前記ベース部材には、前記スライド蓋がスライド移動する領域に対応して幅の広いスリットが形成されたフード部材が装着されており、前記スライド蓋は常に前記幅広のスリット内を移動する構成としたことを特徴とする請求項１乃至４のいずれか１項に記載の飲料容器。
【請求項６】
前記スライド蓋の先端上面には上方向かって突出する指掛かりが形成されており、前記フード部材の前記スリットの基端部には、下方に向かって突出する突起または壁がストッパとして形成されていて、前記スライド蓋には、前記指掛かりよりも基端側に上方に突出するストッパが形成されていることを特徴とする請求項５に記載の飲料容器。
【発明の詳細な説明】
【技術分野】
【０００１】
本発明は、ミルクや果汁等の飲料を収容する蓋付きのストロー式飲料容器の改良に関する。
【背景技術】
【０００２】
従来より、例えば乳幼児等がミルクや果汁、お茶等の飲料を飲む飲料容器として、飲み口であるストロー等が付いている飲料容器を使用している。このような飲料容器では、ストローで吸いあげて飲用できるだけでなく、不使用時には、このストローを折りたたんで蓋を閉止することができるようになっているものがある。
ここで、このような飲料容器内に飲料として温かいミルク等を入れ、蓋を閉めてストローを密閉すると、容器内部が陽圧となり、実際に乳幼児等が飲む際に蓋を開くと同時にストローを開状態にすると、温かいミルク等がストローから噴出するおそれがある。
そこで、従来から、このような飲料容器には、通気孔を形成して内部の圧力を解放し、ストローからミルク等が噴出するのを防止する構成となっている。
【０００３】
また、このような通気孔は、可動カバーや逆止弁を備えるようにすることで、容器内の飲料が外に漏れ出ないようにされている。
ところが、このように、通気孔や可動カバーを設ける従来の飲料容器では、主として、次のような不具合があった。
【０００４】
可動カバーを開くと通気孔を解放するものでは、飲用時に通気孔が開状態となるため、使用者が飲料を飲んでも、容器内が負圧とならず、飲みやすいという利点があるが、可動カバーを開いた状態で容器を傾けると飲料が通気孔から漏れ出すという問題があった。
【０００５】
そこで、本出願人は、使用者がストロー等の飲み口部で容器本体内の飲料を飲む際、容器本体を傾けても、飲料が漏れ出すことなく、且つ、容器本体内が負圧等となって飲料が飲みにくくなるのを未然に防ぐことができる飲料容器として、特許文献１の飲料容器を提案している。
この飲料容器は、特許文献１の図２に示すように、容器本体１１と、ドーム状のベース部材１２と、ベース部材１２の上で該ベース部材１２の外形に沿ってスライドする蓋体であるスライド蓋１５とを有している。ベース部材１２には、容器本体１１内の圧力変化を調整する第一通気部１８と、逆止弁付き通気孔である第二通気部１７が備えられ、スライド蓋１５には、第一通気部１８を、通気状態又は閉塞状態に変更可能な通気開閉手段１５ａ等が形成されている。通気開閉手段は、使用者が飲料容器を携帯可能となる携帯状態（図５参照）及び、飲み口部が使用者にとって使用可能となる飲用状態（図２参照）では、第一通気部１８を閉塞状態とする。図４の操作状態では、該第一通気部１８を通気状態とする構成となっている。
【０００６】
これにより、蓋体であるスライド蓋１５を閉めて携行する状態、飲料容器の逆止弁付き通気孔である第二通気部１７が通気開閉手段１５ａにより閉塞状態となっているので、容器本体１１内に収容されている液体飲料が第二通気部１７から漏れ出すことがないし、開口状の通気孔である第一通気部１８からも液体飲料が漏れ出すことがない。
また、飲用のためにスライド蓋１５を開くように移動させる中間位置である操作状態に配置したとき第一通気部１８は通気状態となっている。このため、容器本体１１内に温かいミルク等を収容し、容器内部の圧力が外部に対して陽圧となっている場合でも、その圧力は第一通気部１８を介して大気開放される。
スライド蓋１５をさらに移動させて開きを大きくし、飲用状態に配置すると、第一通気部１８が閉塞状態となるので、容器本体１１を傾けて内部の液体飲料を使用者が飲み口部から飲んでも、内部の液体飲料が第一通気部１８から漏れ出すことがない。しかしながら、ベース部材１３には第二通気部１７が形成されている。
このため、使用者が飲み口部から容器本体１１内の液体飲料を飲み、内容量が減少し、容器本体１１内が負圧となっても、第二通気部１７の逆止弁が開き、外気が容器本体１１内に導かれ、容器本体１１内の負圧状態が解消されることになる。したがって、容器本体１１内が負圧状態となり、使用者が飲み口部から飲料を飲みにくくなるという事態の発生を未然に防ぐことができるものである。
【先行技術文献】
【特許文献】
【０００７】
【特許文献１】ＷＯ２００７／１４８４４１号公報（図２等参照）
【発明の概要】
【発明が解決しようとする課題】
【０００８】
特許文献１のストロー付き飲料容器では、容器本体１１の開口部を塞ぐとともに、上に向かって凸となった円弧状の上面を有するベース部材１２を有しており、該ベース部材１２の上面には、通気部材１６が外部に突出して形成されている。
さらに、該ベース部材の円弧状の上面の上を断面円弧状スライド蓋１５が摺動して、蓋開閉を行う構成である。
このため、常にスライド蓋１５と通気部材１６の上端が接触しており、長期間の使用により通気部材１６の上端が摩耗し、当該摩耗が進行すると、液漏れの可能性を完全に否定することはできない。
【０００９】
この発明は、上記課題を解決するためになされたもので、耐久性を向上させ、蓋の開閉部材を繰り返し操作しても通気部材が損傷することを回避し、液漏れを有効に防止することができる飲料容器を提供することを目的とする。
【課題を解決するための手段】
【００１０】
本発明は、液体飲料を収容し、該液体飲料を入れるための容器開口部を有する容器本体と、前記容器開口部を覆うと共に飲み口部として弾性変形可能なストローを備えるベース部材とを有する飲料容器であって、前記ベース部材が外方に凸となった湾曲面を有し、該ベース部材の該湾曲面の上をスライドして移動する、外方に凸となった湾曲面を有するスライド蓋とを備え、該スライド蓋の移動によりその先端が前記ストローの長さ方向の途中位置に当接すると共に、当該途中位置においては該ストローの反対側で前記ベース部材に立設された支持壁が該ストローを支持しており、前記スライド蓋が前記当接位置よりさらに閉止方向にスライド移動することで、前記ストローが前記支持壁に支持されつつ、該支持位置で折り曲げられることにより閉塞され、該ストローから液漏れしない状態として携行可能とするようになっており、前記ベース部材には、前記スライド蓋より内側で通気部材が露出して形成されていて、該通気部材は、前記容器本体と外部とを連通させ、該本体内の圧力変化を調整する第一通気部と、前記容器本体内が外部に対して負圧状態となったときに外部から空気を導入すると共に、前記容器本体内の液体飲料の漏出を防ぐことができる第二通気部とを有しており、前記スライド蓋のスライド移動により、使用者が容器を携行できるように前記ストロー曲折して塞ぐ携行位置及び前記ストローの曲折を解除して使用可能となるように、前記ストローが露出して延びるまで前記スライド蓋を移動配置した飲用位置では、第一通気部を閉塞状態とし、前記携行位置及び前記飲用位置の中間位置に前記スライド蓋が移動配置される操作状態では、前記第一通気部を通気状態とする構成とされていて、かつ、前記スライド蓋が飲用位置である完全に開いた状態では、前記スライド蓋の先端は前記ストローと実質的に接触せず、該スライド蓋が前記飲用位置からスライド移動すると、該スライド蓋の先端付近が前記ストローに当接して該ストローを曲折させつつその上に乗り上げて、ストローの弾性力により押し上げられることにより、該スライド蓋が変形して該スライド蓋の基端側が前記通気部材から離れ、前記スライド蓋が完全に閉止されるまでスライド移動した状態では、前記スライド蓋の先端部に対して下からストローの弾性力が押し上げるように力を加えることから、該ストローを下から当接支持している前記支持壁先端を支点として、前記スライド蓋の基端側は下方へ付勢されることにより、前記通気部材に当接する構成としたことを特徴とする。
【００１１】
上記構成によれば、飲用位置以外の操作位置にある際には、ストローの弾性力を利用しシーソーの原理により、通気部材を開放して、容器本体内に、例えば、高い温度の飲料や炭酸飲料等が収容されていることに基づく陽圧が、大気開放されて調整されるので、ストローからの飲料の噴き出しを効果的に防止することができる。
前記スライド蓋が完全に閉止される位置においては、前記スライド蓋の先端部に対して下からストローの弾性力が押し上げるように力を加えることから、該ストローを下から当接支持している前記支持壁先端を支点として、前記スライド蓋の基端側は下方へ付勢されることにより、この「シーソー」の原理に基づいて前記スライド蓋の基端側は前記通気部材に当接するので、液漏れを有効に防止することができる。
このように、飲用位置と閉止位置以外の操作位置では、スライド蓋が通気部材に接触したり擦ったりすることがほとんど無く、通気部材の摩耗を有効に防止することができ、長期間使用しても液漏れを生じることがない。
【００１２】
好ましくは、前記ベース部材には、該ベース部材の前記湾曲面の中心に対して、前記スライド蓋の前記スライド移動により開閉されるスリットの基端側に寄った位置に、前記通気部材が配置されており、該通気部材は、上端が前記基端側に向かって下がる勾配を有する傾斜面を有するとともに、該傾斜面において、前記第１通気部と前記第２通気部の各外側開口が露出されていることを特徴とする。
上記構成によれば、ストローを曲折させてその上に乗り上げてスライド移動するスライド蓋が、該ストローの弾性を、「シーソー」の原理に基づく力点として利用して、スライド蓋の基端側を前記通気部材に対して当接・離間できるとともに、該通気部材を前記基端側に向かって下がる勾配を有する傾斜面を有する構成としたので、スライド蓋の移動における摩擦を生じにくい。
【００１３】
好ましくは、前記第１通気部と第２通気部の前記各外側開口は、前記傾斜面からそれぞれ僅かに突出して形成されており、前記スライド蓋内面には、前記飲用位置において前記通気部材の前記第１通気部だけに当接して第２通気部の機能を発揮させ、前記操作位置においては、前記通気部材を開放することで、第２通気部の機能を発揮させ、前記携行位置においては前記通気部材の第１通気部第２通気部の各通気部にそれぞれ当接する複数の突起状の通気開閉部を備えることを特徴とする。
上記構成によれば、前記スライド蓋のスライド移動を行うだけで、ストローからの飲料の噴き出しを防止し、飲用の際に容器本体内を大気圧に調整して飲みやすくし、しかも携行時には液漏れしない飲料容器を得ることができる。
【００１４】
好ましくは、前記スライド蓋が湾曲した帯状の部材であり、該帯状のスライド蓋の幅方向の両側縁に設けた突起またはスライド用リブが、前記ベース部材に形成した帯状開口の幅方向両側部において、前記スライド方向に沿って形成した突起またはスライド溝に支持されてスライド移動される構成としたことを特徴とする。
上記構成によれば、蓋体がヒンジ等により回動して開閉する構成と比べると、軸受け側面側等に隙間が生じることがなく、指を挟んだりする危険がない。
【００１５】
好ましくは、前記ベース部材には、前記スライド蓋がスライド移動する領域に対応して幅の広いスリットが形成されたフード部材が装着されており、前記スライド蓋は常に前記幅広のスリット内を移動する構成としたことを特徴とする。
上記構成によれば、スライド蓋は常にフード部材の内側で動くので、不要な突起や突部が外部に露出することがなく、引掛けて思わぬ怪我をしたり、誤操作の原因となることもない。
【００１６】
好ましくは、前記スライド蓋の先端上面には上方向かって突出する指掛かりが形成されており、前記フード部材の前記スリットの基端部には、下方に向かって突出する突起または壁がストッパとして形成されていて、前記スライド蓋には、前記指掛かりよりも基端側に上方に突出するストッパが形成されていることを特徴とする。
上記構成によれば、前記指掛かりを利用してスライド蓋を容易に閉止方向に操作することができる。また、スライド蓋を開く際には、飲用位置である全開状態において、スライド壁の前記ストッパがフード部材のストッパに当接して、容易に飲用位置に位置合わせすることができる。
【発明の効果】
【００１７】
耐久性を向上させ、スライド蓋の開閉部材を繰り返し操作しても通気部材が損傷することを回避し、液漏れを有効に防止することができる飲料容器を提供することができる。
【図面の簡単な説明】
【００１８】
【図１】本発明の実施形態に係る飲料容器の全体を示す概略斜視図である。
【図２】図１の飲料容器の分解斜視図である。
【図３】図１の飲料容器の通気部材の構成例を示す概略正面図である。
【図４】（Ａ）は図３のＡ−Ａ線切断端面図であり、（Ｂ）は図３のＢ−Ｂ線切断端面図である。
【図５】図１の飲料容器のスライド蓋の裏面の要部を示す概略斜視図である。
【図６】図１の飲料容器の飲用位置における要部の概略断面図である。
【図７】図１の飲料容器の操作位置の初期位置における要部の概略断面図である。
【図８】図１の飲料容器の操作位置の中間位置においてスライド蓋がストローに完全に乗り上げた段階の要部の概略断面図である。
【図９】図１の飲料容器の操作位置において、スライド蓋の後端が通気部材の上に移動した段階の要部の概略断面図である。
【図１０】図１の飲料容器の操作位置において、スライド蓋の先端がフード部材に当接した段階の要部の概略断面図である。
【図１１】図１の飲料容器の携行位置であるスライド蓋が完全に閉じた段階の要部の概略断面図である。
【発明を実施するための形態】
【００１９】
以下、この発明の好適な実施の形態を添付図面等を参照しながら、詳細に説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００２０】
図１及び図２を参照して、本発明の実施の形態に係る飲料容器の全体構成について説明する。
これらの図において、飲料容器１０は、液体飲料としての例えば、温めた状態のミルクを収容する容器本体１１を有している。容器本体１１は中空の液体容器であり、外部から中身の種類や量を視認するためには透明もしくは半透明とすることが好ましい。
なお、容器本体１１は、上述のように、温めたミルクを収容することに限らず、常温ないし冷やした液体飲料であってもよい。
この容器本体１１の上部には外方に凸となった湾曲面として、例えば、略ドーム状の外形を有するベース部材１３が配置されている。ベース部材１３には、飲み口部である、ストロー２０が、ストロー孔１３ｄ（図６参照）に挿入されることにより取り付けられている。ストロー２０は、繰り返し曲折されても弾性復帰できる軟らかくて弾性に富んだ丈夫な材料で形成されており、例えばシリコーンで形成されている。
【００２１】
図２に示すように、ストロー２０は、取付け部２１を介して、容器本体１１内において、底部付近まで、ストロー本体２０ａが深く延びている。
ストロー２０の取付位置に隣接して、図２において手前側には、突起である支持壁２２が立設されている。この支持壁２２は、ベース部材１３の上面と略同一の高さを有している。支持壁２２は、後述するスライド蓋１５の開閉によりストロー２０が押しつけられることで、その上端においてストロー２０を曲折する支持壁である。
【００２２】
ベース部材１３には、これを上から覆うようにフード部材１４が取付けられている。フード部材１４もベース部材１３の形状に対応してその外側に配置できるように、ほぼドーム状の外形とされている。フード部材１４は、ベース部材１３を覆うとともに、容器本体１１の外周に設けたネジ部と螺合されることで着脱自在に取り付けられている。
ベース部材１３とフード部材１４は、それぞれ上部を湾曲した短冊状に除去することにより帯状の開口とされた態様でなるスリット１３ａ，１４ａが設けられている。本実施形態では、これらスリット１３ａ，１４ａは、ベース部材１３とフード部材１４の各ドーム形態の頂部を半周よりやや大きく切り欠いた程度の大きさである。
スリット１３ａ，１４ａは、後述するスライド蓋１５によって開閉されるようになっている。スライド蓋１５は、スリット１３ａ，１４ａを塞ぐ形状及び大きさでなり、ある程度弾性変形可能な合成樹脂等の成形品であり、その構成については後で詳しく説明する。
また、ベース部材１３には、図６に表れているように、深さ方向に延びる有底の筒体が一体に形成されており、スライド蓋１５が開かれた際にこれを収容する収容部１９とされている。
【００２３】
ベース部材１３と容器本体１１の間には、液密的に封止するためのシール部材としてリング状のパッキン３１と取手３２とが介挿されている。そして、飲料容器１０は、容器本体１１の上端側に、取手３２、パッキン３１、ベース部材１３が積層され、これらをフード部材１４により挟むことで固定される。
この場合、取手３２は、リング状の本体３３を容器本体１１の上端部に嵌めこむことで着脱できるようにされており、該リング状の本体３３からは一対のハンドル状の持ち手３４，３４が延びている。また、取手３２は、本体３３の内周面の２箇所に設けられた係合片３３ａを有する。この本体３３の係合片３３ａは、容器本体１１の対応する位置に設けられる係合凹部１１ａに係合されることで、取手３２が所定位置に固定され、回動しないようにされている。
【００２４】
ベース部材１３、フード部材１４、スライド蓋１５周辺の構造について、図１と図２及び図６を参照して説明する。なお、図６は、飲料容器１０の上部の構造について、図１のＣ−Ｃ線に沿って切断した概略断面図である。
ベース部材１３のスリット１３ａの長手方向の内側の両側部に沿って、それぞれスライド溝１３ｂが設けられている（図２参照）。このスライド溝１３ｂには、スライド蓋１５がスライド移動可能に取り付けられている。
図５は、スライド蓋１５の基端部１５ｂ周辺について、裏側から見た概略斜視図である。スライド蓋１５には、図５に示すように、その幅方向の両端部である両側縁に沿って突起としての例えば、スライド用リブ３５，３５が形成されている。
このスライド用リブ３５，３５をベース部材１３のスライド溝１３ｂに挿入することにより、溝方向に沿ってスライド蓋１５がスライド移動することができ、ベース部材１３のスリット１３ａを開閉するようになっている。
【００２５】
また、スライド蓋１５内面の基端部１５ｂの近傍には、僅かに突出する突部３６，３７が並列的に形成されている。この突部３６，３７は、それぞれ後述する通気部材１６の通気開閉部を構成するもので、一方の突部３６が容器本体１１と外部とを連通させ、本体１１内の圧力変化を調整する第一通気部に当接して塞ぐ第１通気開閉部であり、他方の突部３７が容器本体１１内が外部に対して負圧状態となったときに外部から空気を導入すると共に、容器本体１１内の液体飲料の漏出を防ぐことができる第二通気部に当接して塞ぐ第２通気開閉部である。また、スライド蓋１５の長手方向、すなわち移動方向に沿って図２の先端部１５ａに寄った位置にさらにひとつの突部３８が形成されており、該突部３８は、第１通気部を開閉するものである。
スライド蓋１５の内面に形成される突部３６〜３８は、後述する通気部材１６の第１通気部１７及び第２通気部１８の開口と比して長手方向にやや延伸した形状に形成されている。これは、使用者が誤って、スライド蓋１５が後述する飲用位置、携行位置のそれぞれの位置に達する直前の操作位置において、飲用したり携行状態とした場合に、液漏れをしないようにするためである。
さらに、スライド蓋１５の内面には、そのスライド移動方向に沿って延びており、僅かに厚み方向に凸となった凸条もしくは線状リブ３９が形成されている。好ましくは、図５に示すように凸条３９は、複数本平行に形成されており、折り曲げられたストロー２０上をスライド蓋１５が摺動する際の摺動抵抗を低減する効果を発揮するようになっている。
【００２６】
図６において、スライド蓋１５の先端１５ａ上面は上方に向かって突出する指掛かりとされている。
また、フード部材１４のスリット１４ａの奥側である基端部には、下方に向かって突出する突起であるストッパ１４ｂが形成されていて、これに対して、スライド蓋１５には、上述の指掛かりよりも基端側に上方に突出するストッパ１５ｃが形成されている。
このため、スライド蓋１５は、指掛かりである先端部１５ａを利用して該スライド蓋１５を容易に閉止することができるし、スライド蓋１５を開く際には、図６で示す飲用位置である全開状態において、スライド蓋１５のストッパ１５ｃがフード部材１４のストッパ１４ｂに当接して、容易に飲用位置に位置合わせすることができる。
【００２７】
図２及び図３を参照して、通気部材１６について説明する。
通気部材１６は、図３に示すように、第１通気部１７と第２通気部１８とからなる。
通気部材１６は、図２に示すように、ベース部材１３の上面である湾曲面１３ｃ（図６参照）の中心位置に対して、スリット１３ａの基端側に寄った位置に配置されている。通気部材１６は、その上端がスリット１３ａの基端側に向かって下がる勾配となる傾斜面を有するとともに、この傾斜面において、第１通気部１７と第２通気部１８の各外側開口が露出されている。以下、具体的に説明する。
【００２８】
図３に示すように、通気部材１６は、樹脂成形品でなり、本体４１と、本体４１から下方に向かって平行に突出した第１通気部１７と第２通気部１８とを有している。
第１通気部１７は、図４（Ａ）に示すように、通気部材１６の本体４１の鉛直方向に沿って延びる管状の通気路を形成しており、常に開口されている。第２通気部１８は、図４（Ｂ）に示すように、通気部材１６の本体４１の鉛直方向に沿って延びる管状の通気路の下端に逆止弁を形成したものであり、ベース部材１３に装着されて、容器本体１１内の液体が外に漏れないように閉弁するが、容器本体１１内が負圧になると開弁して容器本体１１内を大気圧にするものである。
通気部材１６の本体４１の上面は、図３において、紙面の手前に向かって徐々に下降する傾斜面４４とされている。この傾斜面４４には、第１通気部１７と連通して上端が開口されるとともに、上方に僅かに突出する当接部４２と、第２通気部１８と連通して上端が開口されるとともに、上方に僅かに突出する当接部４３とが形成されている。
【００２９】
次に、図６ないし図１１を参照して、本実施形態の動作を説明する。
図６は、飲料容器１０を使用して液体飲料を飲むことができる状態であり、スライド蓋１５の飲用位置を示している。
図７、図８、図９、図１０は、飲用位置からスライド蓋１５をスライド移動させて、閉める操作を行う操作位置を示している。
図１１は、スライド蓋１５を完全に閉止して、母親等が、バッグなどにいれて液漏れしないで持ち運ぶことができる、いわゆる携行位置を示している。
【００３０】
（飲用位置）
容器本体１１内の液体飲料を飲むときは、図６に示すように、スライド蓋１５を矢印Ｅ方向にスライド移動させて、全開状態とする。
この際には、スライド蓋１５の先端に近いストッパ１５ｃがフード部材１４のストッパ１４ｂと当接してそれ以上開かない。この位置では、スライド溝１３ｂ（「図２参照」、以下同じ。）の溝幅が狭くほとんど遊びがないので、スライド蓋１５はガタツキなく開き状態を保持される。そしてこの位置においては、図５で説明したスライド蓋１５の裏面の突部３８は、ベース部材１４に取り付けられた通気部材１６の第１通気部１７の当接部４２をガタツキなく塞いでいる。また、この位置においては、スライド蓋１５は、その先端部１５ａがストロー２０と接触することがなく、ストロー２０を折り曲げず吸飲の妨げとならない。
これにより、飲料容器１０の容器本体１１内から液体飲料を吸引し、容器本体１１内が負圧（陰圧）となると、第２通気部１８の逆止弁が開弁して容器本体１１内を大気解放するので、液体飲料を吸いにくい状態になることがない。また、スライド蓋１５の突部３８が第１通気部１７を閉塞しているので、容器本体１１を傾けることによる液漏れが発生しない。
【００３１】
（操作位置）
図７を参照する。
図７は、図１の飲料容器１０の操作位置における初期位置を示しており、スライド蓋１５の先端部１５ａを指掛かりとして、矢印Ｄ方向にスライド移動させる。これにより、図２に示すスライド溝１３ｂからスライド蓋１５の先端部１５ａ側が引き出されて、ストロー２０の長さ方向の途中位置に当たり、ストロー２０に乗り上げる。このとき、ストロー２０は、当接された反対側が支持壁２２に支持されているので、当該支持壁２２の上端付近で曲折される。
そして、曲折されたストロー２０が戻ろうとする力を受けたスライド蓋１５の先端部１５ａ側は押し上げられて、図５で説明したスライド蓋１５の裏面の突部３８は、ベース部材１３に取り付けられた通気部材１６の第１通気部１７の当接部４２から離れる。すなわち、スライド蓋１５は、図６に示す飲用位置においては、ベース部材１３の湾曲面１３ｃ上と接する位置にあるが、ストロー２０に乗り上がることで、ストロー２０の略厚み分だけ、ベース部材１３の湾曲面１３ｃから離間する。これにより、スライド蓋１５の突部３８は、第１通気部１７の当接部４２から離間することとなり、容器本体１１内は外部と連通する。
【００３２】
図８は、飲料容器１０の操作位置の中間位置を示している。
図示されているように、スライド蓋１５は、矢印Ｄ方向への移動が進み、ストロー２０の上に完全に乗り上げると、ベース部材１３の湾曲面１３ｃ上から離間した位置を摺動移動することとなる。このとき、スライド蓋１５は、その先端部１５ａ側が支持壁２２よりベース部材１３のスリット１３ａの先端側に位置している。したがって、ストロー２０は、支持壁２２とスライド蓋１５とにより折り曲げられた状態となる。
【００３３】
図９は、飲料容器１０の操作位置において、スライド蓋１５の後端（基端側）が通気部材１６上に移動した段階を示している。このとき、スライド蓋１５は、ベース部材１３のスリット１３ａを完全に閉塞した位置である携行位置に達していないが、スライド蓋１５裏面の突部３６，３７が、スライド蓋１５の長手方向、すなわちスライド移動方向に延伸されて形成されていることから、通気部材１６上に位置している。
スライド蓋１５の先端部１５ａには、使用者の指の力がＦ１として加えられており、その力は支持壁２２の先端付近を支点として、スライド蓋１５の基端部１５ｂ側をシーソーの原理により上方へ動かすので、通気部材１６の当接部４２，４３に対して、スライド蓋１５裏面の突部３６，３７は接触していない。これにより、通気部材１６は、スライド蓋１５のスライド移動により摩耗することがほとんどなく、損傷することが有効に防止される。また、飲料容器１０は、スライド蓋１５裏面の突部３６，３７を当接部４２，４３と比してスライド移動方向に延伸した形状とすることで、スライド蓋１５を誤って携行位置の直前の操作位置に停止した状態としても、通気部材１６を閉塞した状態とすることができる。
【００３４】
図１０は、飲料容器１０の操作位置において、スライド蓋１５の先端部１５ａがフード部材１４に当接した段階を示している。
スライド蓋１５は、これ以上矢印Ｄの方向に動くことはできず、この状態で通気部材１６の直上にスライド蓋１５裏面の突部３６，３７は位置している。しかし、使用者の指がスライド蓋１５の先端部１５ａに置かれている限り、その力Ｆ１は支持壁２２の先端付近を支点として、スライド蓋１５の基端部１５ｂ側をシーソーの原理により上方へ動かすので、通気部材１６の当接部４２，４３に対して、スライド蓋１５裏面の突部３６，３７は接触しない状態を維持している。
【００３５】
（携行位置）
次いで、図１１では、使用者の指がスライド蓋１５の先端部１５ａから離れると、ストロー２０の先端側が復帰しようとする弾性力Ｆ２が図示するように、該スライド蓋１５の先端部１５ａを上方へ付勢するので、支持壁２２の先端付近を支点として、該スライド蓋１５の基端部１５ｂ側をシーソーの原理により下方へ動かすので、通気部材１６の当接部４２，４３に対して、スライド蓋１５裏面の突部３６，３７が当接し、第１通気部１７と第２通気部１８とを同時に閉塞する。
これにより、スライド蓋１５は、飲料容器の本体１１を液密的に封止することができ、携行しても液漏れが生じる恐れはない。
【００３６】
なお、スライド蓋１５の先端部１５ａに指をかけて開こうとすると、直ちに図１０の状態となるので、第１通気部１７が開口され、容器本体１１内に温度の高いミルク等が収容されていることによる陽圧は直ちに大気解放されるので、ストロー２０から高温のミルクが噴き出す事態も有効に防止することができる。
【００３７】
上述の実施形態では、ストロー２０を曲折させてその上に乗り上げてスライド移動するスライド蓋１５が、ストローの弾性を、「シーソー」の原理を利用した力点として利用して、スライド蓋１５の基端部１５ｂ側を通気部材１６に対して当接・離間できるとともに、該通気部材１６をスライド蓋１５の基端側に向かって下がる勾配である傾斜面（図３の符号４４参照）を有する構成としたので、スライド蓋１５の移動における摩擦を生じにくい。
【００３８】
しかも、スライド蓋１５のスライド移動を行うだけで、ストロー２０からの飲料の噴き出しを防止し、飲用の際に容器本体１１内を大気圧に調整して飲みやすくし、しかも携行時には液漏れしない飲料容器１０を得ることができる。
そして、スライド蓋１５が湾曲した帯状の部材であり、該帯状のスライド蓋１５の幅方向の両側縁に設けたスライド用リブ３５が、ベース部材１３に形成した帯状開口であるスリット１３ａの幅方向両側部において、前記スライド方向に沿って形成したスライド溝１３ｂに支持されてスライド移動される構成とした。このため、蓋体がヒンジ等により回動して開閉する構成と比べると、軸受け側面側等に隙間が生じることがなく、指を挟んだりする危険がない。
【００３９】
さらに、スライド蓋１５は、帯状開口（スリット１３ａ）の基端付近でスライド溝１３ｂに支持されているが、飲用位置を除いて、スライド溝１３ｂの溝幅がスライド蓋１５のスライド用リブ３５の厚みｔ（図５参照）と比して大きく形成されている。したがって、スライド蓋１５は、スライド移動してストロー２０を曲折し、当該ストロー２０に乗り上げることができ、その過程では、「シーソー」の原理により、ストロー２０の弾性力でスライド蓋１５の先端１５ａ側が浮き上がる。スライド蓋１５がストロー２０に乗り上げてその先端が前記支持壁２２を超えると、スライド蓋１５の基端部１５ｂ側が下方へ押し下げられるので、通気部材１６を塞ぐことができる。
【００４０】
この実施形態では、スライド蓋１５は、常にフード部材１４の内側で動くので、不要な突起や突部が外部に露出することがなく、引掛けて思わぬ怪我をしたり、誤操作の原因となることもない。
また、スライド蓋１５の先端部１５ａ上面には、上方向かって突出する指掛かりが形成されており、フード部材１４のスリット１４ａの基端部には、下方に向かって突出する突起または壁状のストッパ１４ｂが形成されていて、さらに、スライド蓋１５には、指掛かりよりも基端側に上方に突出するストッパ１５ｃが形成されている。このため、指掛かりを利用してスライド蓋１５を容易に閉止方向に操作することができる。また、スライド蓋１５を開く際には、飲用位置である全開状態において、スライド蓋１５のストッパ１５ｃがフード部材１４のストッパ１４ｂに当接して、容易に飲用位置に位置合わせすることができる。
【００４１】
本発明は、上述の各実施の形態に限定されない。例えば、第１通気部と第２通気部は別体に設けてもよい。また、上述の実施形態の個別の構成は、その一部を省略し、あるいは説明しない別の構成と任意に組み合わせることができる。
【符号の説明】
【００４２】
１０・・・飲料容器、１１・・・容器本体、１３・・・ベース部材、１４・・・フード部材、１５・・・スライド蓋、１６・・・通気部材、１７・・・第１通気部、１８・・・第２通気部、２０・・・ストロー
【図１】
0005495999.tif 000002
【図２】
0005495999.tif 000003
【図３】
0005495999.tif 000004
【図４】
0005495999.tif 000005
【図５】
0005495999.tif 000006
【図６】
0005495999.tif 000007
【図７】
0005495999.tif 000008
【図８】
0005495999.tif 000009
【図９】
0005495999.tif 000010
【図１０】
0005495999.tif 000011
【図１１】
0005495999.tif 000012